(57)【要約】【課題】  栓刃の配置が特殊なプラグはいちいちプラグの向きを調整してコンセントに差し込んだ。特に屋外のコンセントは下から差し込みにくい。プラグがコンセントから抜け落ちやすく、濡れているときの使用には感電の恐れがあった。このような問題を解決する自動車充電施設用のプラグ・コンセント接続装置を提供する。【解決手段】  ガイドレールをスライドするプラグホルダにプラグを嵌め込んでコンセント側にスライドして、またはガイドレールをスライドするコンセントをプラグ側にスライドして、プラグを直接手に持つことなくコンセントにプラグを差し込む。さらにストッパーとストッパー受けがコンセントとプラグの接続状態を保持する。このような安全で使いやすい自動車充電施設用のプラグ・コンセント接続装置。【選択図】図１
2011238572.tif 000002
【特許請求の範囲】
【請求項１】
コンセントと、このコンセントに付属するガイドレールと、このガイドレールをスライドするスライドテーブルに設けられ、プラグを所定姿勢に保持する、絶縁材料で構成されるプラグホルダからなり、前記スライドテーブルと共に前記プラグホルダが前記コンセント側へスライドした状態で、前記保持されたプラグの栓刃が前記コンセントに差し込まれる事を特長とする自動車充電施設用のプラグ・コンセント接続装置。
【請求項２】
プラグを所定姿勢に保持する絶縁材料で構成されるプラグホルダと、このプラグホルダに付属するガイドレールと、このガイドレールをスライドするスライドテーブルに設けられたコンセントからなり、前記スライドテーブルにと共に前記コンセントが、前記プラグホルダ側へスライドした状態で、前記保持されたプラグの栓刃が前記コンセントに差し込まれる事を特長とする自動車充電施設用のプラグ・コンセント接続装置。
【請求項３】
請求項１または請求項２いずれか記載の発明で、スライドテーブルに付属するストッパーと、コンセントとプラグが接続した状態で、前記ストッパーに係り合う、ガイドレールに付属したストッパー受けと、を有してなる事を特徴とする自動車充電施設用のプラグ・コンセント接続装置。
【請求項４】
請求項１または請求項２いずれか記載の発明で、プラグに装着するアタッチメントは、プラグホルダの内側面の形状に沿う外側の形状を持ち、前記アタッチメントを前期プラグホルダに嵌め込み、前期プラグを所定姿勢に保持する事を特徴とする自動車充電施設用のプラグ・コンセント接続装置。
【発明の詳細な説明】
【技術分野】
【０００１】  本発明は差し込みが容易で、感電の恐れが少ない、自動車充電施設用のプラグ・コンセント接続装置に関する。
【背景技術】
【０００２】  従来はプラグの栓刃をコンセントに差し込む際に、プラグを直接手に持ってその栓刃をコンセントに差し込んでいた。【０００３】  従来はプラグの栓刃の形状と配列により、コンセントに差し込む向きが限定されるプラグは、プラグの栓刃をコンセントに差し込む際に、コンセントに対してプラグの栓刃の向きが合う所定姿勢になるようにプラグの向きを調節してコンセントに差し込んでいた。【０００４】  プラグをコンセントから引き抜く際に、プラグのコードを引っ張ってコンセントから抜く事があった。【０００５】  従来はプラグの栓刃をコンセントの刃受けバネが挟んで、プラグとコンセントの接続状態を保った。【０００６】  接続状態を保持するために、鍵状の栓刃をコンセントの挿入口に差し込んだ後に、プラグを回転させて、その鍵状の栓刃をコンセントの刃受けバネに引掛けて固定していた。【０００７】  プラグの栓刃の形状と配列が同じでも、本体の外形形状が異なるプラグがあった。【０００８】  コンセントとプラグの接続状態を維持する特許文献１、コンセントからの抜け落ちを防止する特許文献２のコンセントがあった。
【先行技術文献】
【０００９】
【特許文献１】特開２００４−２０００８３
【特許文献２】実新開平７−１６３７６のプラグ抜止装置
【発明の概要】
【発明が解決しようとする課題】
【００１０】  プラグの栓刃をコンセントに差し込む際に、プラグを直接手に持ってその栓刃をコンセントに差し込むと、プラグ若しくはコンセントのどちらかに異常がある場合や、プラグ若しくはコンセントのどちらかが濡れている場合には感電する危険性があった。【００１１】  プラグの栓刃の形状と配列により、コンセントに差し込む向きが限定されるプラグは、プラグの栓刃をコンセントに差し込む際に、コンセントに対してプラグの栓刃の向きが合う所定姿勢になるようにプラグの向きを調節しなければならず、プラグの向きに迷う事があった。【００１２】  プラグをコンセントから引き抜く際に、プラグのコードを引っ張ってコンセントから抜くと、プラグ内部のコード接続部分を痛めたり、プラグを真直ぐに引き抜けるとは限らないのでプラグの栓刃がコンセント内部の刃受けバネを痛めたり、コンセントの本体を損傷する事があった。【００１３】  プラグの栓刃をコンセントの刃受けバネが挟んで、プラグとコンセントの接続状態を保つ仕組みは、刃受けバネの挟む力が弱まると、プラグの栓刃がコンセントから抜けやすくなった。【００１４】  接続状態を保持するために鍵状の栓刃をコンセントの挿入口に差し込んだ後に、プラグを回転させて、その鍵状の栓刃をコンセントの刃受けバネに引掛けて固定するコンセントは、差し込む動作に加えプラグを回転させて、その鍵状の栓刃をコンセントの刃受けバネに上手く引掛けるのにコツが必要だった。【００１５】  プラグの栓刃の形状と配列が同じでも、本体の外形形状が異なるために請求項１または請求項２のプラグホルダに嵌め込めないプラグがあった。
【課題を解決するための手段】
【００１６】  コンセントと、このコンセントに付属するガイドレールと、このガイドレールをスライドするスライドテーブルに設けられ、プラグを所定姿勢に保持する、絶縁材料で構成されるプラグホルダからなり、前記スライドテーブルと共に前記プラグホルダが、前記コンセント側へスライドした状態で、前記保持されたプラグの栓刃がコンセントに差し込まれる事を特長とする。【００１７】  プラグを所定姿勢に保持する絶縁材料で構成されるプラグホルダと、このプラグホルダに付属するガイドレールと、このガイドレールをスライドするスライドテーブルに設けられたコンセントからなり、前記スライドテーブルと共に前記コンセントが、前記プラグホルダ側へスライドした状態で、前記保持されたプラグの栓刃がコンセントに差し込まれる事を特長とする。【００１８】  請求項１または請求項２いずれか記載の発明で、スライドテーブルに付属するストッパーと、コンセントとプラグが接続した状態で、前記ストッパーに係り合う、ガイドレールに付属したストッパー受けと、を有してなる事を特徴とする。【００１９】  請求項１または請求項２いずれか記載の発明で、プラグに装着するアタッチメントはプラグホルダの内側面の形状に沿う外側の形状を持ち、前記アタッチメントを前期プラグホルダに嵌め込み、前期プラグを所定姿勢に保持する事を特徴とする。
【発明の効果】
【００２０】  以上説明したように、本発明の請求項１または請求項２いずれか記載の発明により、絶縁材料からなるプラグホルダに所定姿勢で保持されたプラグの栓刃をコンセントに差し込む。これによりプラグを直接手で持たずに、その栓刃をコンセントに差し込む事が出来るので、プラグ若しくはコンセントのどちらかに異常がある場合や、プラグ若しくはコンセントのどちらかが濡れている場合にも感電する危険性が少ない。【００２１】  本発明の請求項１記載の発明により、コンセントと、このコンセントに付属するガイドレールと、このガイドレールをスライドするスライドテーブルに設けられ、プラグを所定姿勢に保持する絶縁材料で構成されるプラグホルダからなり、前記スライドテーブルと共にプラグホルダが前記コンセント側へスライドした状態で、前記保持されたプラグの栓刃がコンセントに差し込まれる。これによりプラグの栓刃の形状と配列によりコンセントに差し込む向きが限定されるプラグでも、プラグの栓刃をコンセントに差し込む際にプラグの向きを調節しなくてよく、プラグの向きに迷う事が無い。【００２２】  本発明の請求項２記載の発明により、プラグを所定姿勢に保持する絶縁材料で構成されるプラグホルダと、このプラグホルダに付属するガイドレールと、このガイドレールをスライドするスライドテーブルに設けられたコンセントからなり、前記スライドテーブルと共にコンセントが前記プラグホルダ側へスライドした状態で、前記保持されたプラグの栓刃がコンセントに差し込まれる。これによりプラグの栓刃の形状と配列によりコンセントに差し込む向きが限定されるプラグでも、プラグの栓刃をコンセントに差し込む際にプラグの向きを調節しなくてよく、プラグの向きに迷う事が無い。【００２３】  本発明の請求項１記載の発明により、ガイドレールをスライドするスライドテーブルに設けられた絶縁材料からなるプラグホルダが、プラグを所定姿勢で保持し、スライドテーブルと共にプラグホルダがスライドしてプラグの栓刃をコンセントから真直ぐに抜く。これによりプラグのコードを引っ張ってコンセントから抜く事が無く、内部のコード接続部分を痛めたり、プラグの栓刃がコンセント内部の刃受けバネを痛めたり、コンセントの本体を損傷することが無い。【００２４】  本発明の請求項２記載の発明により、ガイドレールをスライドするスライドテーブルに設けられたコンセントがあり、ガイドレールに付属する絶縁材料で構成されるプラグホルダに、所定姿勢に保持されたプラグの栓刃から、スライドテーブルと共にコンセントがスライドしてプラグの栓刃をコンセントから真直ぐに抜く。これによりプラグのコードを引っ張ってコンセントから抜く事が無く、内部のコード接続部分を痛めたり、プラグの栓刃がコンセント内部の刃受けバネを痛めたり、コンセントの本体を損傷することが無い。【００２５】  本発明の請求項３記載の発明により、プラグとコンセントの接続した状態でスライドテーブルに付属するストッパーと、ガイドレールに付属するストッパー受けが係り合い、コンセントとプラグの間隔が保持されて接続状態を保つ。これにより受刃バネの挟む力が弱まっても、プラグの栓刃がコンセントから抜けやすくなる事が無い。【００２６】  本発明の請求項３記載の発明により、プラグとコンセントの接続した状態でスライドテーブルに付属するストッパーと、ガイドレールに付属するストッパー受けが係り合い、コンセントとプラグの間隔が保持されて接続状態を保つ。これにより鍵状の栓刃をコンセントの刃受けバネに引掛けて接続状態を保つ必要が無いので接続にコツが不要になる。【００２７】  本発明の請求項４の発明により、プラグの栓刃の形状と配列が同じでも、プラグの外形形状が異なるために請求項１または請求項２記載のプラグがプラグホルダに嵌め込めないプラグの場合は、プラグの外側面の形状に合致する内側面の形状を持ち、請求項４発明のアタッチメントをプラグに装着し、スライドホルダの内側面の形状に沿う外側の形状を持ち、スライドホルダに嵌め込むアタッチメントが、プラグを所定姿勢に保持する。これにより請求項１または請求項２記載のプラグホルダに、本体の外形形状が異なるためにプラグホルダに嵌め込めないプラグでも、プラグをプラグホルダに所定姿勢で保持出来るので請求項１または請求項２記載の発明の装置を汎用できる。
【図面の簡単な説明】
【００２８】
【図１】  本発明請求項１、請求項３の実施例のガイドレール１、プラグホルダ２、プラグ３、コンセント５、ストッパー１５、ストッパー受け１６の関係を示す斜視図
【図２】  本発明請求項１の実施例のプラグホルダ２にプラグ３を嵌め込んだ準備状態の断面図
【図３】  本発明請求項１の実施例の接続状態の側面図
【図４】  本発明請求項１の実施例の収納状態の側面図
【図５】  本発明請求項２の実施例の準備状態の側面図
【図６】  本発明請求項２の実施例の接続状態の側面図
【図７】  本発明請求項２の実施例の収納状態の側面図
【図８】  本発明請求項１、請求項２の実施例のプラグ突起１２を有するプラグ３−１と突起受け１３を有するプラグホルダ２−１の斜視図
【図９】  本発明請求項１の実施例のコンセント５上部にカバー１４を配した斜視図
【図１０】  本発明請求項１の実施例のコンセント５に漏電遮断機１７を併設した斜視図
【図１１】  本発明請求項１の実施例のコンセント５にコンセント５−１を併設した斜視図
【図１２】  本発明請求項１の実施例のコンセント５前側からガイドレール１が延びる準備状態の側面図
【図１３】  本発明請求項２の実施例のプラグホルダ２後側からガイドレール１が伸びる準備状態の側面図
【図１４】  本発明請求項１の実施例にシャフト状のガイドレールを装着した斜視図
【図１５】  本発明請求項１の実施例にコの字型のガイドレールを装着した斜視図
【図１６】  本発明請求項１の実施例に補助ベラを相違着した準備状態の側面図
【図１７】  本発明請求項１の実施例に補助ベラを相違着した接続状態の側面図
【図１８】  本発明請求項４の実施例のアタッチメント１９をプラグ１８に装着した斜視図
【図１９】  本発明請求項４の実施例のアタッチメント１９の絞めビス２０をプラグ突起１２−１部分に配してプラグ１８に装着した斜視図
【発明を実施するための形態】
【００２９】  以下本発明の実施形態について、当該装置を鉛直の面に設置した場合、装置の設置面側を後方、設置面側と反対側を前方とし、装置の下側を下方、上側を上方として当該装置の構成を説明する
【００３０】  請求項１の仕組みは、図１に示すようコンセント５にガイドレール１が取り付けられ、ガイドレール１をスライドするスライドテーブル４に、絶縁性材料からなるプラグホルダ２が付属する。プラグホルダ２はプラグ３の外形の形状に沿う内側面の形状を持ち、プラグ３を嵌め込んで所定姿勢に保持する。
【００３１】  コンセント５は、プラグ３の栓刃６の形状と配列に合致した刃受けバネと挿入口７を有している。プラグ３は、栓刃６をコンセント５方向に向けて、プラグホルダ２に所定姿勢で嵌め込まれている。
【００３２】  スライドテーブル４と共にプラグホルダ２が後方へスライドすると、プラグ３の栓刃６がその通過線上にある挿入口７に差し込まれる位置にコンセント５がある。
【００３３】  以下、本発明の使用の説明を行う。図１に示すようにプラグホルダ２がコンセント５から離れ、プラグ３の栓刃６をコンセント５方向に向けて、プラグ３を所定姿勢でプラグホルダ２に嵌め込んだ状態を準備状態とする。
【００３４】  準備状態からスライドテーブル４と共にプラグホルダ２が後方へスライドし、プラグホルダ２に嵌め込まれたブラグ３の栓刃６が、コンセント５に差し込まれた図３の状態を接続状態とする。
【００３５】  先ず、プラグ３の栓刃６がコンセント５方向に向くように、プラグ３を所定姿勢でプラグホルダ２に嵌め込んで図１に示す準備状態にする。このときプラグホルダ２はコンセント５の挿入口７の向きにプラグ３の栓刃６の配列が合う所定姿勢で、プラグ３をコンセント５に対峙させる。
【００３６】  プラグホルダ２が付属するスライドテーブル４を後方にスライドさせて、コンセント５押し付けると、プラグ３の栓刃６がコンセント５に真直ぐに差し込まれ図３に示す接続状態となる。
【００３７】  接続状態のプラグ３をコンセント５から抜くには、プラグホルダ２が付属するスライドテーブル４を前方にスライドさせ、図１に示す準備状態にすればよい。
【００３８】  準備状態のプラグホルダ２からプラグ３を外し、プラグホルダ２が付属するスライドテーブル４を後方にスライドさせて、プラグホルダ２をコンセント５に近付けると、図４に示す収納状態となる。
【００３９】  請求項２の発明の仕組みは、図５に示すよう絶縁性材料からなるプラグホルダ２にガイドレール１が取り付けられ、ガイドレール１をスライドするスライドテーブル４にコンセント５が付属する。プラグホルダ２はプラグ３の外形の形状に沿う内側面の形状を持ち、プラグ３を嵌め込んで所定姿勢に保持する。
【００４０】  コンセント５は、プラグ３の栓刃６の形状と配列に合致した刃受けバネと挿入口７を有している。プラグ３は栓刃６をコンセント５方向に向けて、プラグホルダ２に所定姿勢で嵌め込まれている。スライドテーブル４と共にコンセント５が前方へスライドすると、コンセント５の挿入口７がその通過線上にあるにプラグ３の栓刃６に差し込まれる。
【００４１】  以下、本発明の使用の説明を行う。図５に示すようコンセント５がプラグホルダ２から離れ、プラグ３の栓刃６がコンセント５方向を向くように、プラグ３を所定姿勢でプラグホルダ２に嵌め込んだ状態を準備状態とする。
【００４２】  準備状態からスライドテーブル４と共にコンセント５が前方へスライドし、プラグホルダ２に嵌め込まれたブラグ３の栓刃６が、コンセント５に差し込まれた図６の状態を接続状態とする。
【００４３】  先ず、プラグ３の栓刃６がベース５方向を向くように、プラグ３を所定姿勢でプラグホルダ２に嵌め込んで図５に示す準備状態にする。このときプラグホルダ２はコンセント５の挿入口７の向きにプラグ３の栓刃６の配列が合う所定姿勢で、プラグ３をコンセント５に対峙させる。
【００４４】  コンセント５が付属するスライドテーブル４を前方にスライドさせて、プラグホルダ２側に押し付けると、プラグ３の栓刃６がコンセント５に真直ぐに差し込まれ図６に示す接続状態となる。
【００４５】  接続状態のプラグ３をコンセント５から抜くには、コンセント５が付属するスライドテーブル４を後方にスライドさせて、図５に示す準備状態にすればよい。
【００４６】  準備状態のプラグホルダ２からプラグ３を外し、コンセント５が付属するスライドテーブル４を前方にスライドさせて、プラグホルダ２をコンセント５に近付けると、図７に示す収納状態となる。
【００４７】  図２に示すようにプラグホルダ２のコンセント５側には、プラグ３を嵌め込んだ状態で、プラグ３の栓刃６に干渉しない高さの立ち上がり８があり、プラグホルダ２の立ち上がり８に相対する側には、プラグコード１０に干渉しない高さの立ち上がり９がある。これによりプラグ３はプラグホルダ２に前後方向の動きを固定される。
【００４８】  図２に示すように、プラグホルダ２にプラグ３を嵌め込んだときに、コード受け１１がプラグコード１０の付け根付近で、プラグコード１０を支える。これによりプラグホルダ２はプラグ３を安定して所定姿勢に保持できる。
【００４９】  図１に示すようにガイドレール１はその前端からプラグ３がコンセント５に接続された状態のコード１０に干渉しない位置まで抉りこまれている。
【００５０】  プラグホルダ２の底部に水抜き用の穴を設けると、雨水などがプラグホルダ２に溜まらないで適時に排水できてよい。
【００５１】  このように請求項１または請求項２いずれか記載の発明により、プラグ３とコンセント５との接続に際して、絶縁材料からなるプラグホルダ２が、プラグ３を所定姿勢で保持するので、プラグ３を直接手に持つ事が無い。これによりプラグ若しくはコンセントのどちらかに異常がある場合や、プラグ若しくはコンセントのどちらかが濡れている場合にも感電する危険性が少なくなる。
【００５２】  また請求項１または請求項２いずれか記載の発明により、プラグ３とコンセント５の切り離しに際して、プラグ３の栓刃６はコンセント５から真直ぐに抜けるので、栓刃６が刃受けバネやコンセント５本体に負担をかける事が少ない。またプラグ３を直接手に持たずにコンセント５から引き抜ける。これによりプラグ若しくはコンセントのどちらかに異常がある場合や、プラグ若しくはコンセントのどちらかが濡れている場合にも感電の危険性が少なくなる。
【００５３】  請求項１または請求項２いずれか記載の発明により、プラグ３とコンセント５との接続に際して、コンセント５の挿入口７に合わせてプラグ３の向きを調整する煩わしさが無い。
【００５４】  請求項１記載の発明により、プラグ３をプラグホルダ２に嵌め込んで、プラグホルダ２が付属するスライドテーブル４をスライドさせるだけで、プラグの向きに迷うことなくプラグ３の栓刃６をコンセント５に差し込む事が出来る。
【００５５】  請求項２記載の発明により、プラグ３をプラグホルダ２に嵌め込んで、コンセント５が付属するスライドテーブル４をスライドさせるだけで、プラグの向きに迷うことなくプラグ３の栓刃６をコンセント５に差し込む事が出来る
【００５６】  特に従来の下方からプラグを差し込むコンセントで、低い位置に設置された物は、コンセントの挿入口が見えずに、感に頼ってコンセントにプラグの栓刃を差し込んでいた。これに比べ、請求項１の仕組みではプラグ３をプラグホルダ２に嵌め込んで、プラグホルダ２が付属するスライドテーブル４を、コンセント５側にスライドさせるだけで、プラグ３の栓刃６をコンセント５に差し込め、請求項２の仕組みではではプラグ３をプラグホルダ２に嵌め込んで、コンセント５が付属するスライドテーブル４を、プラグホルダ２側にスライドさせるだけで、栓刃６をコンセント５に差し込めるので簡単である。
【００５７】  図８に示すようにプラグ３−１の下側にはプラグ突起１２があり、プラグホルダ２−１の底部にはプラグ突起１２を嵌め込む形状の突起受け１３が欠き込まれている。プラグ３−１をプラグホルダ２−１に嵌め込むとプラグ突起１２が突起受け１３に嵌まる。これによりプラグ３−１はプラグホルダ２−１に前後方向の動きを固定されるので、プラグホルダの立ち上がり８若しくは立ち上がり９を省略する事もできる。
【００５８】  図９に示すコンセント５とプラグ３とプラグホルダ２を覆うカバー１４をコンセント５の上部に固定する。これによりコンセント５とプラグ３とプラグホルダ２に雨がかかりにくくなる。
【００５９】  図１０に示すようにコンセント５に漏電遮断機１７を併設すると、コンセント５に電源を供給すると漏電の波及が防げる。漏電遮断機１７を切りの状態でプラグ３の栓刃６をコンセント５に差し込み、接続を確認した後に漏電遮断機１７を入りの状態にすると、感電の危険性がさらに減少する。加えてメンテナンスの際には離れた箇所に設置された漏電遮断機を行き来して入り切り操作をするよりも便利である。
【００６０】  図１１に示すように、コンセント５とは異なる仕様のコンセント５−１をコンセント５に併設する事ができる。これにより例えば１００Ｖと２００Ｖの異なったコンセントを併設することも可能で、使用できる機器の種類の巾が広がり便利である。
【００６１】  当該装置のコンセント５にタイマーを併設して、コンセント５に電源を供給する事ができる。これにより料金の安い深夜時間帯に充電時間を設定できるので、電気料金の面で経済的である。
【００６２】  本発明の請求項１において、コンセント５とガイドレール１とを着脱可能に取り付けると、使用するプラグの種類や栓刃の形状に合わせてコンセントを取替えることが出来る。
【００６３】  本発明の請求項２において、コンセント５とスライドテーブル４とを着脱可能に取り付けると、使用するプラグの種類や栓刃の形状に合わせてコンセントを取替えることが出来る。
【００６４】  本発明の請求項１において、プラグホルダ２をスライドテーブル４と着脱可能に取り付けると、使用するプラグの形状に合わせてプラグホルダを取替えることが出来る。
【００６５】  本発明の請求項２において、プラグホルダ２とガイドレール１とを着脱可能に取り付けると、使用するプラグの形状に合わせてプラグホルダを取替えることが出来る。
【００６６】  本発明の請求項１において、コンセント５の外殻とガイドレール１を１体に成形し、またはプラグホルダ２とスライドテーブル４を１体に成形すると製造が経済的になる。
【００６７】  本発明の請求項２において、コンセント５の外殻とスライドテーブル４を１体に成形し、またはプラグホルダ２とガイドレール１を１体に成形すると製造が経済的になる。
【００６８】  本発明の請求項３の発明のストッパーの仕組みを請求項１において説明する。図１に示すように弾性を持つストッパー１５はスライドテーブル４に付属し、ストッパー受け１６はコンセント５側のガイドレール１に付属する。プラグホルダ２が付属するスライドテーブル４が後方へスライドするときに、ストッパー１５の外側面とストッパー受け１６の内側面が接し合う位置となる。ストッパー１５はそのストッパー受け１６に近い端部の外側面に爪状部分１５−１を有し、ストッパー受け１６はストッパー１５側端部に爪状部１５−１が咬み込む掛けバー１６−１を有す。図３の接続状態では爪状部分１５−１は掛けバー１６−１に咬み込み、ストッパー１５とストッパー受け１６は係合する。
【００６９】  係合を解放するには、ストッパー１５の爪状部分１５−１のスライドテーブル４側部分を内側方向に押して、爪状部分１５−１と掛けバー１６−１の咬み込みを外す。
【００７０】  コンセント５からプラグ３を抜くときは前述の方法でストッパー１５をストッパー受け１６から解放し、プラグホルダ２が付属するスライドテーブル４を前方にスライドさせると、コンセント５とプラグ３の接続が解かれ図２の準備状態となる。
【００７１】  準備状態のプラグホルダ２からプラグ３を外し、プラグホルダ２が付属するスライドテーブル４を後方にスライドさせて、プラグホルダ２をコンセント５に近付けると、ストッパー１５の爪状部１５−１がストッパー受け１６の掛けバー１６−１に咬み込む。これでプラグホルダ２が固定された図４に示す収納状態となる。
【００７２】  ストッパーとストッパー受けは係合と解除が簡単に出来るような機構であれば他の方法でもよい。
【００７３】  ストッパー１５がコンセント５側のガイドレール１に付属し、ストッパー受け１６がスライドテーブル４に付属していても係合に関して同様の効果が得られる。
【００７４】  請求項２における請求項３の発明のストッパーの仕組みは図５に示すように、上記ストッパー１５はスライドテーブル４に付属し、上記ストッパー受け１６はプラグホルダ３側のガイドレール１に付属する。
【００７５】  スライドテーブル４に付属するコンセント５がプラグホルダ２側へスライドし、接続状態になると爪状部分１５−１は掛けバー１６−１に咬み込み、ストッパー１５とストッパー受け１６は係合する。
【００７６】  コンセント５からプラグ３を抜くときは、ストッパー１５をストッパー受け１６から解放し、コンセント５が付属するスライドテーブル４を後方にスライドさせると、コンセント５とプラグ３の接続が解かれ準備状態となる。
【００７７】  請求項２において請求項３の発明のストッパー１５がプラグホルダ３側のガイドレール１に付属し、ストッパー受け１６がスライドテーブル４に付属していても係合に関して同様の効果が得られる。
【００７８】  接続状態においてストッパー１５がストッパー受け１６と係合し、プラグホルダ２はコンセント５に一定の間隔で保持され、コンセント５とプラグ３の接続状態が保たれる。これにより栓刃６が刃受けバネやコンセント５本体に負担をかける事が少なく、刃受けバネの挟む力が弱まってもプラグ３の栓刃６がコンセント５から抜けやすくなる事が無い。
【００７９】  さらに接続状態を保持するために鍵状の栓刃をコンセントの挿入口に差し込んだ後に、プラグを回転させてその鍵状の栓刃をコンセントの刃受けバネに引掛けて固定する必要が無い。
【００８０】  図１２に示すように、請求項１のコンセント５の前方側にガイドレール１が取り付けられてもよい。
【００８１】  図１３に示すように、請求項２のプラグホルダの後方側にガイドレール１が取り付けられてもよい。
【００８２】  請求項１または請求項２いずれか記載のガイドレールとスライドテーブルは、図１４に示すようなシャフト状のガイドレール１−１と、ガイドレール１−１の周囲を包んで装着し、ガイドレール１−１をスライドするスライドテーブル４−１と、からなる仕組みでもよい。
【００８３】  また、請求項１または請求項２いずれか記載のガイドレールとスライドテーブルは、図１５に示すようなコの字型のガイドレール１−２と、ガイドレール１−２の内側をスライドするスライドテーブル４−２と、からなる仕組みでもよい。
【００８４】  このようにコンセントと、プラグホルダに嵌め込まれたプラグとがスライドして差し込まれる仕組みならばガイドレールとスライドテーブルの種類は問わず同様な効果が得られる。
【００８５】  図１６に示すように、コンセント５に挿入時のプラグ３の上端と同じ高さになる位置に下端がある挿入補助ベラ１８を設けると、準備状態からプラグ３がコンセント５に差込まれるときに、図１７の接続状態に示すようにプラグホルダ２に嵌め込まれたプラグ３の浮き上がりを防げる。
【００８６】  コンセントに相応した栓刃の形状や配列のプラグでも、プラグの外側の形状が異なるために、請求項１または請求項２のプラグホルダ２に嵌め込めないプラグ３−２がある。その場合には、プラグ３−２を図１８に示す請求項４のアタッチメント１９で巻き包んで、請求項１または請求項２のプラグホルダ２に嵌め込む。
【００８７】  アタッチメント１９は内側面がプラグ３−２の外形状に沿う形状で、アタッチメント１９の外側面はプラグホルダ２の内側面の形状に沿う外側の形状で、プラグホルダ２に嵌め込める。
【００８８】  栓刃６形状と配列が同じプラグ３−２は本体の形状が異なっても、請求項４のアタッチメント１９を装着すると、プラグ３−２を請求項１または請求項２のプラグホルダ２に所定姿勢で嵌め込むことが出来る。これにより請求項１または請求項２の発明の仕組みに汎用性をもたせ、いろいろな外形状のプラグが使用可能になる。
【００８９】  アタッチメント１９にプラグ３−２を差し込む装着方法でもよいが、図１９に示すようにプラグ３−２にアタッチメント１９を装着し、ビス２０を用いて締め付けると確実である。またビスを締める勘合部分はプラグ突起１２−１部分を兼ねてもよい。
【符号の説明】
【００９０】１        ガイドレール
１−１    ガイドレール
１−２    ガイドレール
２        プラグホルダ
２−１    プラグホルダ
３        プラグ
３−１    プラグ
３−２    プラグ
４        スライドテーブル
４−１    スライドテーブル
４−２    スライドテーブル
５        コンセント
５−１    コンセント
６        栓刃
７        挿入口
８        立ち上り
９        立ち上り
１０      プラグコード
１１      コード受け
１２      プラグ突起
１２−１  プラグ突起
１３      突起受け
１４      カバー
１５      ストッパー
１５−１  爪状部分
１６      ストッパー受け
１６−１  掛けバー
１７      漏電遮断機
１８      補助ベラ
１９      アタッチメント
２０      ビス
【図１】
2011238572.tif 000003
【図２】
2011238572.tif 000004
【図３】
2011238572.tif 000005
【図４】
2011238572.tif 000006
【図５】
2011238572.tif 000007
【図６】
2011238572.tif 000008
【図７】
2011238572.tif 000009
【図８】
2011238572.tif 000010
【図９】
2011238572.tif 000011
【図１０】
2011238572.tif 000012
【図１１】
2011238572.tif 000013
【図１２】
2011238572.tif 000014
【図１３】
2011238572.tif 000015
【図１４】
2011238572.tif 000016
【図１５】
2011238572.tif 000017
【図１６】
2011238572.tif 000018
【図１７】
2011238572.tif 000019
【図１８】
2011238572.tif 000020
【図１９】
2011238572.tif 000021